(57)【要約】【課題】デジタル放送信号の受信状態を改善することによって、デジタル放送サービスのサービス品質を改善すること。【解決手段】受信されるチャネルの基本ＩＦ周波数を検出して、この基本ＩＦ周波数が隣接チャネルの影響を受けるか否かを判断し、当該基本ＩＦ周波数が隣接チャネルの影響を受けると判断した場合には、当該基本ＩＦ周波数を可変しながら隣接チャネルの影響を受けない可変ＩＦ周波数をチューニングＩＦ周波数として検出し、隣接チャネルの影響を受けない可変ＩＦ周波数がない場合には、隣接チャネルの影響が最小である可変ＩＦ周波数をチューニングＩＦ周波数として検出する。そして検出されたチューニングＩＦ周波数を用いて前記チャネルをチューニングする構成である。【選択図】図４
2006148890.tif 000002
【特許請求の範囲】
【請求項１】
受信されるチャネルの基本中間周波数ＩＦ０を検出するステップと、
前記基本中間周波数ＩＦ０が隣接チャネルの影響を受けるか否かを判断するステップと、
前記基本中間周波数ＩＦ０が隣接チャネルの影響を受けると判断した場合、前記基本中間周波数ＩＦ０を可変しながら、隣接チャネルの影響を受けない可変中間周波数をチューニング中間周波数として検出するステップと、
前記チューニング中間周波数を検出するステップにおいて、隣接チャネルの影響を受けない可変中間周波数がない場合には、隣接チャネルの影響が最小である可変中間周波数をチューニング中間周波数として検出するステップと、
前記チューニング中間周波数を用いて前記チャネルをチューニングするステップと、を備えることを特徴とするチューニング方法。
【請求項２】
前記基本中間周波数ＩＦ０が隣接チャネルの影響を受けるか否かを判断するステップは、前記基本中間周波数ＩＦ０で復調した信号のビットエラー率（Bit Error Rate；ＢＥＲ）を検出し、このビットエラー率が所定の基準値以下である場合に、前記基本中間周波数ＩＦ０が隣接チャネルの影響を受けないと判断することを特徴とする請求項１に記載のチューニング方法。
【請求項３】
前記基本中間周波数ＩＦ０が隣接チャネルの影響を受けるか否かを判断するステップは、前記基本中間周波数ＩＦ０で復調した信号のビットエラー率（ＢＥＲ）を検出し、このビットエラー率が「０」である場合に、前記基本中間周波数ＩＦ０が隣接チャネルの影響を受けないと判断することを特徴とする請求項１に記載のチューニング方法。
【請求項４】
前記チューニング中間周波数を検出するステップは、前記基本中間周波数ＩＦ０を左側または右側に可変させた可変中間周波数ＩＦｎが隣接チャネルの影響を受けるか否かの判断を繰り返し行うステップを含み、
前記可変中間周波数ＩＦｎが隣接チャネルの影響を受けないと判断した場合に、この可変中間周波数ＩＦｎをチューニング中間周波数として決定することを特徴とする請求項１に記載のチューニング方法。
【請求項５】
前記可変中間周波数ＩＦｎが隣接チャネルの影響を受けるか否かの判断を繰り返し行うステップは、前記可変中間周波数ＩＦｎで復調した信号のビットエラー率（ＢＥＲ）を検出し、このビットエラー率が所定の基準値以下である場合に、前記可変中間周波数ＩＦｎが隣接チャネルの影響を受けないと判断することを特徴とする請求項４に記載のチューニング方法。
【請求項６】
前記可変中間周波数ＩＦｎが隣接チャネルの影響を受けるか否かの判断を繰り返し行うステップは、前記可変中間周波数ＩＦｎと、各可変中間周波数ＩＦｎに対応するビットエラー率（ＢＥＲｎ）を格納するステップを備えることを特徴とする請求項５に記載のチューニング方法。
【請求項７】
前記可変中間周波数ＩＦｎが隣接チャネルの影響を受けるか否かの判断を繰り返し行うステップは、前記可変中間周波数ＩＦｎで復調した信号のビットエラー率（ＢＥＲ）を検出し、このビットエラー率が「０」である場合に、前記可変中間周波数ＩＦｎが隣接チャネルの影響を受けないと判断することを特徴とする請求項４に記載のチューニング方法。
【請求項８】
前記可変中間周波数ＩＦｎが隣接チャネルの影響を受けるか否かの判断を繰り返し行うステップは、前記可変中間周波数ＩＦｎと、各可変中間周波数ＩＦｎに対応するビットエラー率（ＢＥＲｎ）を格納するステップを備えることを特徴とする請求項７に記載のチューニング方法。
【請求項９】
隣接チャネルの影響を受けない可変中間周波数がない場合における隣接チャネルの影響が最少となる可変中間周波数ＩＦｎをチューニング中間周波数として検出するステップは、前記格納されているビットエラー率（ＢＥＲｎ）が最小値となる可変中間周波数ＩＦｎをチューニング周波数として検出するステップを備えることを特徴とする請求項６又は８に記載のチューニング方法。
【請求項１０】
受信されるチャネルの基本中間周波数ＩＦ０を検出するチューナーと、
予め設定されたチューニングアルゴリズムを格納するフラッシュメモリと、
前記チューニングアルゴリズムに基づいて、前記基本中間周波数ＩＦ０を左側または右側に可変しながら、隣接チャネルの影響を受けない可変中間周波数ＩＦｎをチューニング中間周波数として検出し、該チューニング中間周波数を用いて前記チャネルをチューニングする復調部と、を備えることを特徴とするチューニング装置。
【請求項１１】
前記復調部は、前記基本中間周波数ＩＦ０が隣接チャネルの影響を受けない場合には、前記基本中間周波数ＩＦ０を用いて前記チャネルをチューニングすることを特徴とする請求項１０に記載のチューニング装置。
【請求項１２】
前記復調部は、隣接チャネルの影響を受けない可変中間周波数ＩＦｎがない場合には、隣接チャネルの影響が最小である可変中間周波数をチューニング中間周波数として検出することを特徴とする請求項１０に記載のチューニング装置。
【請求項１３】
前記復調部は、前記基本中間周波数ＩＦ０で復調した信号のビットエラー率（ＢＥＲ）を検出し、このビットエラー率が所定の基準値以下である場合に、前記基本中間周波数ＩＦ０が隣接チャネルの影響を受けないと判断することを特徴とする請求項１０に記載のチューニング装置。
【請求項１４】
前記復調部は、前記基本中間周波数ＩＦ０で復調した信号のビットエラー率（ＢＥＲ）を検出し、このビットエラー率が「０」である場合には、前記基本中間周波数ＩＦ０が隣接チャネルの影響を受けないと判断することを特徴とする請求項１０に記載のチューニング装置。
【請求項１５】
前記復調部は、前記基本中間周波数ＩＦ０を左側または右側に可変させた可変中間周波数ＩＦｎが隣接チャネルの影響を受けるか否かの判断を繰り返し行い、前記可変中間周波数ＩＦｎが隣接チャネルの影響を受けないと判断した場合に、この可変中間周波数ＩＦｎをチューニング中間周波数として決定することを特徴とすることを特徴とする請求項１０に記載のチューニング装置。
【請求項１６】
前記復調部は、前記可変中間周波数ＩＦｎで復調した信号のビットエラー率（ＢＥＲ）を検出し、このビットエラー率が所定の基準値以下である場合に、前記可変中間周波数ＩＦｎが隣接チャネルの影響を受けないと判断することを特徴とする請求項１５に記載のチューニング装置。
【請求項１７】
前記復調部は、前記可変中間周波数ＩＦｎで復調した信号のビットエラー率（ＢＥＲ）を検出し、このビットエラー率が「０」である場合に、前記可変中間周波数ＩＦｎが隣接チャネルの影響を受けないと判断することを特徴とする請求項１５に記載のチューニング装置。
【請求項１８】
前記復調部は、前記可変中間周波数ＩＦｎが隣接チャネルの影響を受けるか否かの判断を繰り返し行う際に、前記可変中間周波数ＩＦｎと、各可変中間周波数ＩＦｎに対応するビットエラー率（ＢＥＲｎ）を格納することを特徴とする請求項１５に記載のチューニング装置。
【請求項１９】
前記復調部は、前記格納されたビットエラー率（ＢＥＲｎ）が最小である可変中間周波数をチューニング中間周波数として検出することを特徴とする請求項１８に記載のチューニング装置。
【発明の詳細な説明】
【技術分野】
【０００１】
本発明は、デジタルチューニング方法及びその装置に関し、特に、アナログチャネルとデジタルチャネルとが隣接したチャネル構造において、隣接チャネル間の干渉を低減するチューニング方法及びその装置に関する。
【背景技術】
【０００２】
デジタル放送サービスが始まるに伴って、地上波放送、ケーブル放送、衛星放送などで伝送されるデジタル放送及びアナログ放送のチャネル数が１００以上に増加してきている。このような多数チャネルの放送信号を受信するためには、デジタルチューナーが必須である。
【０００３】
デジタルチューナーは、衛星中継局を経由することなく、デジタル衛星放送を直接受信することのできる受信用チューナーである。デジタルチューナーを使用する場合、難視聴の解消はもちろんのこと、高画質、ハイファイ（高忠実）及び、音声放送が可能であるという長所がある。このようなデジタルチューナーは、セットトップボックス（Set-Top-Box、以下、「ＳＴＢ」という）又はテレビ（television）に組み込むことが可能である。
【０００４】
デジタルチューナーは、アナログ放送信号に隣接したデジタル放送信号の受信の際、デジタル信号よりも相対的に信号レベルが高い隣接アナログ放送信号の影響を受けて、デジタル放送信号のビデオストリーム（video stream）又はオーディオストリーム（audio stream）にエラーが発生する確率が高くなるという短所がある。これは、デジタル放送サービスのサービス品質が低下する原因となる。
【発明の開示】
【発明が解決しようとする課題】
【０００５】
本発明は、前述のような問題点を解決するためになされたものであり、その目的は、デジタル放送信号の受信状態を改善することによって、デジタル放送サービスのサービス品質を改善することのできるチューニング方法及びチューニング装置を提供することにある。
【０００６】
また、本発明の他の目的は、デジタルチューナーにおいて、デジタル放送信号に隣接するアナログ放送信号の有害な影響を低減することにある。
【０００７】
また、本発明のさらに他の目的は、デジタル放送信号の中間周波数を可変させることにより、隣接するアナログ放送信号の有害な影響を低減することにある。
【課題を解決するための手段】
【０００８】
前記目的を達成するために、本発明のチューニング方法は、受信されるチャネルの基本中間周波数ＩＦ０を検出するステップと、前記基本中間周波数ＩＦ０が隣接チャネルの影響を受けるか否かを判断するステップと、前記基本中間周波数ＩＦ０が隣接チャネルの影響を受けると判断した場合、前記基本中間周波数ＩＦ０を可変しながら、隣接チャネルの影響を受けない可変中間周波数をチューニング中間周波数として検出するステップと、前記チューニング中間周波数を検出するステップにおいて、隣接チャネルの影響を受けない可変中間周波数がない場合には、隣接チャネルの影響が最小である可変中間周波数をチューニング中間周波数として検出するステップと、前記チューニング中間周波数を用いて前記チャネルをチューニングするステップと、を備えることを特徴とする。
【０００９】
この際、前記基本中間周波数ＩＦ０が隣接チャネルの影響を受けるか否かを判断するステップは、前記基本中間周波数ＩＦ０で復調した信号のビットエラー率（Bit Error Rate；ＢＥＲ）を検出し、このビットエラー率が所定の基準値以下である場合に、前記基本中間周波数ＩＦ０が隣接チャネルの影響を受けないと判断するか、または、前記基本中間周波数ＩＦ０で復調した信号のビットエラー率（ＢＥＲ）を検出し、このビットエラー率が「０」である場合に、前記基本中間周波数ＩＦ０が隣接チャネルの影響を受けないと判断することが好ましい。  
【００１０】
また、前記チューニング中間周波数を検出するステップは、前記基本中間周波数ＩＦ０を左側または右側に可変させた可変中間周波数ＩＦｎが隣接チャネルの影響を受けるか否かの判断を繰り返し行うステップを含み、前記可変中間周波数ＩＦｎが隣接チャネルの影響を受けないと判断した場合に、この可変中間周波数ＩＦｎをチューニング中間周波数として決定することが好ましい。
【００１１】
なお、上記の「左側または右側」とは、右側が高周波側、左側が低周波側をそれぞれ意味する。
【００１２】
前記可変中間周波数ＩＦｎが隣接チャネルの影響を受けるか否かの判断を繰り返し行うステップは、前記可変中間周波数ＩＦｎで復調した信号のビットエラー率（ＢＥＲ）を検出し、このビットエラー率が所定の基準値以下である場合に、前記可変中間周波数ＩＦｎが隣接チャネルの影響を受けないと判断するか、またはビットエラー率が「０」である場合に、前記可変中間周波数ＩＦｎが隣接チャネルの影響を受けないと判断するのが好ましい。
【００１３】
前記可変中間周波数ＩＦｎが隣接チャネルの影響を受けるか否かの判断を繰り返し行うステップは、前記可変中間周波数ＩＦｎと、各可変中間周波数ＩＦｎに対応するビットエラー率（ＢＥＲｎ）を格納するステップを備えるようにしてもよい。
【００１４】
隣接チャネルの影響を受けない可変中間周波数がない場合における前記隣接チャネルの影響が最少となる可変中間周波数ＩＦｎをチューニング中間周波数として検出するステップは、前記格納されているビットエラー率（ＢＥＲｎ）が最小値となる可変中間周波数ＩＦｎをチューニング周波数として検出するステップを備えるようにしてもよい。
【００１５】
また、前記目的を達成するための本発明のチューニング装置は、受信されるチャネルの基本中間周波数ＩＦ０を検出するチューナーと、予め設定されたチューニングアルゴリズムを格納するフラッシュメモリと、前記チューニングアルゴリズムに基づいて、前記基本中間周波数ＩＦ０を左側または右側に可変しながら、隣接チャネルの影響を受けない可変中間周波数ＩＦｎをチューニング中間周波数として検出し、該チューニング中間周波数を用いて前記チャネルをチューニングする復調部と、を備えることを特徴とする。
【００１６】
この際、前記復調部は、前記基本中間周波数ＩＦ０が隣接チャネルの影響を受けない場合には、前記基本中間周波数ＩＦ０を用いて前記チャネルをチューニングすることが好ましい。
【００１７】
また、前記復調部は、隣接チャネルの影響を受けない可変中間周波数ＩＦｎがない場合には、隣接チャネルの影響が最小である可変中間周波数をチューニング中間周波数として検出することが好ましい。
【００１８】
また、前記復調部は、前記基本中間周波数ＩＦ０で復調した信号のビットエラー率（ＢＥＲ）を検出し、このビットエラー率が所定の基準値以下である場合に、前記基本中間周波数ＩＦ０が隣接チャネルの影響を受けないと判断することが好ましい。
【００１９】
また、前記復調部は、前記基本中間周波数ＩＦ０で復調した信号のビットエラー率（ＢＥＲ）を検出し、このビットエラー率が「０」である場合には、前記基本中間周波数ＩＦ０が隣接チャネルの影響を受けないと判断することが好ましい。
【００２０】
前記復調部は、前記基本中間周波数ＩＦ０を左側または右側に可変させた可変中間周波数ＩＦｎが隣接チャネルの影響を受けるか否かの判断を繰り返し行い、前記可変中間周波数ＩＦｎが隣接チャネルの影響を受けないと判断した場合に、この可変中間周波数ＩＦｎをチューニング中間周波数として決定することが好ましい。
【００２１】
前記復調部は、前記可変中間周波数ＩＦｎで復調した信号のビットエラー率（ＢＥＲ）を検出し、このビットエラー率が所定の基準値以下である場合、またはビットエラー率が「０」である場合に、前記可変中間周波数ＩＦｎが隣接チャネルの影響を受けないと判断することが好ましい。
【００２２】
前記復調部は、前記可変中間周波数ＩＦｎで復調した信号のビットエラー率（ＢＥＲ）を検出し、前記可変中間周波数ＩＦｎが隣接チャネルの影響を受けないと判断することができる。
【００２３】
前記復調部は、前記可変中間周波数ＩＦｎが隣接チャネルの影響を受けるか否かの判断を繰り返し行う際に、前記可変中間周波数ＩＦｎと、各可変中間周波数ＩＦｎに対応するビットエラー率（ＢＥＲｎ）を格納するようにしてもよい。
【００２４】
前記復調部は、前記格納されたビットエラー率（ＢＥＲｎ）が最小である可変中間周波数をチューニング中間周波数として検出することが好ましい。
【発明の効果】
【００２５】
本発明は、チューニング装置及び方法において、受信しようとするチャネルの中間周波数を可変しながら、受信しようとするチャネルに隣接した高周波（ＲＦ）信号の影響を最も少なく受ける中間周波数を検出し、該中間周波数によりチューニングすることで、受信しようとするチャネルの信号に対する隣接チャネルの影響を最小化するという長所がある。特に、本発明は、デジタル放送信号が、隣接したアナログ放送信号の影響を少なく受けることができるという長所がある。また、本発明は、デジタル放送信号の受信状態を改善することによって、デジタル放送サービスのサービス品質を改善することができるという効果がある。
【発明を実施するための最良の形態】
【００２６】
以下、添付図面を参照して本発明の好ましい実施形態に係る構成及び作用について詳細に説明する。なお、本明細書及び添付図面において、同一の参照符号は、同一の構成要素を示す。また、本発明を説明するにあたって、関連した公知の機能或いは構成についての具体的な説明が本発明の要旨を把握するに不要であると判断される場合、その詳細な説明を省略する。
【００２７】
図１は、一般的なデジタルチューナーの構成を概略的に示す図である。図１を参照すれば、デジタルチューナーは、チューニング部１０と、復調部２０とを備える。この際、チューニング部１０は、自動利得制御装置（Automatic Gain Controller、以下、「ＡＧＣ」という）１１と、高周波増幅器（Radio Frequency Amplifier、以下「ＲＦ増幅器」という）１２と、ＲＦバンドパスフィルタ（Band Pass Filter、以下、「ＲＦ−ＢＰＦ」という）１３と、位相同期ループ集積回路（Phase Locked Loop Integrated Circuit、以下「ＰＬＬ−ＩＣ」という）１４と、局部発振器１５と、ミキサー１６と、ＳＡＷフィルタ１７と、中間周波増幅器（Intermediate Frequency Amplifier、以下、「ＩＦ増幅器」という）１８と、高周波自動利得制御検出回路（以下、「ＲＦ−ＡＧＣ検出回路」という）１９とを備えている。復調部２０は、中間周波自動利得制御検出回路（以下、「ＩＦ−ＡＧＣ検出回路」という）２２を有する復調ＩＣ ２１を備える。
【００２８】
ＡＧＣ１１は、アンテナＡＮＴを介して受信される高周波信号の大きさが変化しても、映像信号の出力が常に一定になるように自動利得調節する。
【００２９】
ＲＦ増幅器１２は、ＡＧＣ１１を通過した高周波信号を増幅する。
【００３０】
ＲＦ−ＢＰＦ１３は、ＲＦ増幅器１２により増幅された高周波信号における所望のバンド幅を選択する。
【００３１】
ＰＬＬ−ＩＣ１４は、内部にチャネルデータが格納されており、外部からの制御に応じて局部発振器１５に制御電圧を出力する。
【００３２】
局部発振器１５は、チャネルを選択したときに得られる周波数に従って切り換えられる３つの分割バンドを有している。局部発振器１５は、ＰＬＬ−ＩＣ１４からの制御電圧に従って予め決められた所定の発振周波数を生成し、生成した発振周波数をミキサー１６に出力する。
【００３３】
ミキサー１６は、ＲＦ−ＢＰＦ１３によって選択された高周波信号と、局部発振器１５によって生成された発振周波数とを混合し、中間周波であるＩＦ（intermediate frequency）信号を出力する。
【００３４】
ＳＡＷフィルタ１７は、ミキサー１６から受信されるＩＦ信号のうち、所望のＩＦ信号だけを通過させる。
【００３５】
ＩＦ増幅器１８は、ＳＡＷフィルタ１７から出力されるＩＦ信号を増幅する。
【００３６】
ＲＦ−ＡＧＣ検出回路１９は、強電界信号が受信される場合、ＡＧＣ１１の利得を制御する。
【００３７】
復調ＩＣ２１は、ＩＦ増幅器１８から受信されるＩＦ信号を復調し、転送ストリーム（Transport Stream、以下「ＴＳ」という）信号を出力する。
【００３８】
ＩＦ−ＡＧＣ検出回路２２は、弱電界信号が受信される場合、ＩＦ増幅器１８の利得を制御する。
【００３９】
以下、前述のような構成を有する従来のデジタルチューナーの動作を説明する。
【００４０】
まず、アンテナＡＮＴによって受信された高周波帯域の信号は、ＡＧＣ１１、ＲＦ増幅器１２及びＲＦ−ＢＰＦ１３を通過しながら、いずれか一の放送周波数のＲＦ信号のみ選択する。この選択されたＲＦ信号は、局部発振器１５で生成された発振周波数とミキサー１６によって混合され、そしてミキサー１６はＩＦ信号を出力する。
【００４１】
より詳しくは、局部発振器１５は、ＰＬＬ−ＩＣ１４からの制御電圧に従って発振周波数をミキサー１６に出力し、そしてミキサー１６は、ＲＦ−ＢＰＦ１３から出力されるＲＦ信号を局部発振器１５から出力される発振周波数と混合し、中間周波数信号を出力する。
【００４２】
ミキサー１６からのＩＦ信号は、ＳＡＷフィルタ１７及びＩＦ増幅器１８を介することにより、フィルタリング及び増幅がそれぞれでなされ、復調ＩＣ２１に入力される。そして、復調ＩＣ２１は、入力されたＩＦ信号を復調し、ＴＳ信号を出力する。
【００４３】
ここで、アンテナＡＮＴを介して強電界信号が受信されると、ＲＦ−ＡＧＣ検出回路１９が動作して、ＡＧＣ１１の自動利得調整動作を制御する。反対に弱電界信号が受信されると、復調ＩＣ２１から出力される電圧に従ってＩＦ増幅器１８の利得が自動調整される。
【００４４】
図２は、相互隣接したアナログチャネルとデジタルチャネルを示す波形図である。デジタル放送信号及びアナログ放送信号が同期に伝送される場合、デジタル放送信号及びアナログ放送信号は、図２に示すように、交互にチャネルを占有する。このとき、デジタル放送信号は、間に介在するアナログ放送信号に影響を与えないようにするために、常にアナログ信号よりも低いレベルで伝送される。
【００４５】
さらに、図２を参照すれば、Ａ領域であるＮ−１チャネルではアナログ放送信号を伝送し、Ｂ領域であるＮチャネルではデジタル放送信号を伝送する。アナログ放送信号の場合、アナログ放送信号に割り当てられた帯域幅の中の所定位置にビデオ信号Ａ１、第１のオーディオ信号Ａ２及び第２のオーディオ信号Ａ３が位置するのに対して、デジタル放送信号の場合には、デジタル放送信号に割り当てられた帯域幅の全般に亘ってデジタル放送信号Ｄが位置する。
【００４６】
したがって、アナログ放送信号のビデオ信号Ａ１、第１及び第２のオーディオ信号Ａ２及びＡ３がチャネルの境界に隣接する場合、これら信号のいずれかがデジタル放送信号Ｄに干渉する。
【００４７】
図２に示した例では、第２のオーディオ信号Ａ３がデジタル放送信号Ｄに干渉している。
【００４８】
このようにアナログ放送信号のビデオ信号Ａ１、第１オーディオ信号Ａ２及び第２オーディオ信号Ａ３のうちいずれか１つがデジタル放送信号に隣接すれば、図１に示すデジタルチューナーの場合には、どの水準以上の妨害信号によってＲＦ−ＡＧＣ検出回路１９が受信しようとするデジタル放送信号のレベルを認識するに先立って、デジタル放送信号のレベルより高いレベルのアナログ放送信号を認識し、ＡＧＣ電圧が非正常的に出力される。かくして、デジタル放送信号の受信時、隣接するアナログ放送信号が非常に高い場合、隣接するチャネルの干渉を受けて、受信状態が非常に不良となるという問題点がある。図２の例では、アナログ放送信号の第２のオーディオ信号Ａ３が、デジタル放送信号Ｄに僅か数十ｋＨｚの位置に隣接しているので、デジタル放送信号Ｄに大きく影響を及ぼす。
【００４９】
図３は、本発明の一実施形態に係るチューニング装置を示す概略的なブロック図である。図３を参照すれば、本実施形態に係るチューニング装置１００は、チューナー１１０、復調ＩＣ１２０、出力部１３０、ユーザインタフェース部（ユーザＩ／Ｆ）１４０、制御部１５０及びフラッシュメモリ１６０を備える。
【００５０】
チューナー１１０は、制御部１５０の制御によって設定された、チャネルの高周波帯域のデジタル放送信号を受信し、受信したデジタル放送信号をＩＦ信号に変換した後、フィルタリング及び増幅し、そして出力する。この動作において、チューナー１１０は、制御部１５０からチャネル情報、ＲＦ値及びＩＦ ＡＧＣ値を受信する。
【００５１】
復調ＩＣ１２０は、チューナー１１０から受信されるＩＦ信号を復調し、転送ストリーム（Transport Stream、以下「ＴＳ」という）信号を出力する。特に、隣接チャネルとの干渉があるか否かを判断し、干渉が最も小さい状態となるまでＩＦ信号を可変させる。この機能を実現するために、復調ＩＣ１２０は、予め格納されたチューニングアルゴリズムに基づいてＩＦ信号を可変させながら、デジタル放送信号のビットエラー率（Bit Error Rate、以下、「ＢＥＲ」という）が最も低いＩＦ信号を選択する。そして、復調ＩＣ１２０は、該ＩＦ信号を用いてＴＳ信号を生成し、そして出力する。
【００５２】
出力部１３０は、復調ＩＣ１２０から受信されるＴＳ信号の出力を制御する。この機能を実現するために、出力部１３０は、多数のポート（例えば、Ａ／Ｖ（Audio／Video）ポート、ＵＳＢポート及びインターネットポートなど）を含む。
【００５３】
ユーザＩ／Ｆ１４０は、ユーザの操作信号を制御部１５０に入力する。
【００５４】
制御部１５０は、ユーザＩ／Ｆ１４０を介して入力されたユーザの操作信号またはフラッシュメモリ１６０に予め格納された動作情報（例えば、チューニングアルゴリズム、チャネル情報など）に基づいて、チューナー１１０、復調ＩＣ１２０及び出力部１３０の動作を制御する。
【００５５】
フラッシュメモリ１６０は、チューニング装置１００の動作を制御するための前記動作情報（例えば、チューニングアルゴリズム、チャネル情報など）を格納する。
【００５６】
図４は、本発明の一実施形態に係るチューニング方法を示すフローチャートである。図３及び図４を参照して、本発明の一実施形態に係るチューニング方法を説明する。
【００５７】
まず、制御部１５０は、基本ＩＦ周波数及び可変ＩＦ周波数を区別するための変数ｉを初期化（ｉ←０）する（ステップＳ１０５）。例えば、基本ＩＦ周波数をＩＦ０とし、基本ＩＦ周波数を１回可変させる毎に前記変数ｉ値を「１」ずつ順次増加させ、１次可変されたＩＦ周波数をＩＦ１、２次可変されたＩＦ周波数をＩＦ２、ｎ次可変されたＩＦ周波数をＩＦｎ（ｎ＝1、2、・・・、ｎ）で表記し、各々のＩＦ周波数を区別する。
【００５８】
次に、チューナー１１０は、受信されるデジタル放送チャネル（例えば、Ｎチャネル）のＩＦ周波数を検出する（ステップＳ１１０）。この際、チューナー１１０で検出されたＩＦ周波数を基本ＩＦ周波数とし、前記ステップＳ１０５で変数ｉ値が「０」に設定されているので、該当基本ＩＦ周波数をＩＦ０で表記する。
【００５９】
前記チューナー１１０から基本ＩＦ周波数ＩＦ０を受信した復調ＩＣ１２０は、該基本ＩＦ周波数ＩＦ０を用いてＮチャネルのオーディオ信号及びビデオ信号（Ａ／Ｖ信号）を検出する（ステップＳ１１５）。すなわち、復調ＩＣ１２０は、基本ＩＦ周波数ＩＦ０を用いてＮチャネルを復調する。
【００６０】
この際、復調ＩＣ１２０は、前記フラッシュメモリ１６０に予め格納されたチューニングアルゴリズムによる制御部１５０の制御の下で、該基本ＩＦ周波数ＩＦ０が隣接チャネルの影響を受けるか否かを判断し、基本ＩＦ周波数ＩＦ０が隣接チャネルの影響を受けると判断した場合には、復調ＩＣ１２０は、隣接チャネルの影響が最も少なくなるまで基本ＩＦ周波数ＩＦ０を可変させる。以下、このような復調ＩＣ１２０の動作について具体的に説明する。
【００６１】
まず、復調ＩＣ１２０は、前記ステップＳ１１５において基本ＩＦ周波数ＩＦ０を用いて検出されたＡ／Ｖ信号のビットエラー率（ＢＥＲ）を検出する（ステップＳ１２０）。そして復調ＩＣ１２０は、検出したＢＥＲの値が「０」であるか否かを判断する（ステップＳ１２５）。すなわち、復調ＩＣ１２０は、基本ＩＦ周波数ＩＦ０を用いてチューニングしたＮチャネル信号のＢＥＲ（これを「ＢＥＲ０」と称す）を検出し、このＢＥＲ０の値が「０」であるか否かを判断する。
【００６２】
この際、前記ステップＳ１２５は、基本ＩＦ周波数ＩＦ０が隣接チャネルの影響を受けるか否かを判断するための過程である。前記ステップＳ１２５での比較値（又は「照合値」と称す）は、「０」に限定されるものではなく、装置の特性によって値を変えることができる。例えば、前記照合値は、対応するＩＦ周波数によって復調された信号のエラーの有無を判断するための基準値であって、対応するＩＦ周波数によって復調された信号のＢＥＲがこの基準値以下である場合に、ＩＦ周波数が隣接チャネルの影響を受けないものと判断する。
【００６３】
例えば図４の例では、前記比較値が「０」であるとして説明する。したがって、前記ステップＳ１２５において、ＢＥＲ０値が「０」であると判断した場合には、復調ＩＣ１２０は、基本ＩＦ周波数ＩＦ０が隣接チャネルの影響を受けないものと判断し、この基本ＩＦ周波数ＩＦ０を用いてＮチャネルをチューニングする（ステップＳ１７０）。
【００６４】
一方、前記ステップＳ１２５において、ＢＥＲ０値が「０」でないと判断した場合には、復調ＩＣ１２０は、基本ＩＦ周波数ＩＦ０とそのときのＢＥＲ（ＢＥＲ０）の情報をメモリ等の記憶部に格納する（ステップＳ１３０）。これは、以後に可変ＩＦ周波数のＢＥＲ値と比較して、ＢＥＲ値が最小となるＩＦ周波数を選択するためである。
【００６５】
前記基本ＩＦ周波数ＩＦ０とそのときのＢＥＲ（ＢＥＲ０）を格納した後、復調ＩＣ１２０は、変数「ｉ」値が「２」又はそれ以上であるか否かを判断する（ステップＳ１３５）。前記変数「ｉ」は、基本ＩＦ周波数ＩＦ０と可変ＩＦ周波数とを区別するための変数であって、可変回数をカウントし、該当可変ＩＦ周波数が何番目の可変ＩＦ周波数であるかを示す。図４の例では、基本ＩＦ周波数ＩＦ０を左側及び／又は右側に１回ずつ可変した後、そのときのＢＥＲ値と基本ＩＦ周波数ＩＦ０であるときのＢＥＲ値とを比較し、そしてＢＥＲ値が最小となるＩＦ周波数を選択する例を示している。すなわち、図４は、基本ＩＦ周波数ＩＦ０を２回可変した後、基本ＩＦ周波数ＩＦ０のＢＥＲ値と可変ＩＦ周波数のＢＥＲ値とを比較して、ＢＥＲ値が最小となるＩＦ周波数を選択する例を示している。
【００６６】
したがって、前記ステップＳ１３５において、復調ＩＣ１２０は、「ｉ」値が「２」以上であるか否かを判断する。仮りに基本ＩＦ周波数ＩＦ０を左側及び／又は右側に２回ずつ可変（全部で４回の可変）し、そのときのＢＥＲ値と基本ＩＦ周波数ＩＦ０のときのＢＥＲ値のうち、ＢＥＲ値が最小であるときのＩＦ周波数を選択する場合には、前記ステップＳ１３５において、復調ＩＣ１２０は、「ｉ」値が「４」以上であるか否かを判断するはずである。
【００６７】
前記ステップＳ１３５において、「ｉ」値が「２」又はそれ以上であるか否かを判断したとき、「ｉ」の初期値は「０」なので、この場合には、復調ＩＣ １２０は、「ｉ」値が「ｏｄｄ（奇数）」であるか否かを判断する（ステップＳ１４０）。これは、基本ＩＦ周波数ＩＦ０を２回可変する場合、「ｉ」値は、「１」または「２」なので、これを区別するためである。
【００６８】
前記ステップＳ１４０において、「ｉ」の初期値は「０」なので、「ｏｄｄ（奇数）」ではない。したがって、復調ＩＣ１２０は、基本ＩＦ周波数ＩＦ０を左側に移動させるステップＳ１４５の動作を行う。図４の例では、基本ＩＦ周波数ＩＦ０を左側に０.２５ＭＨｚ移動させる例を示している。以下に示す数式１は、基本ＩＦ周波数ＩＦ０を左側に０.２５ＭＨｚ移動させることによって、１次可変ＩＦ周波数ＩＦ１を算出する数式である。
【００６９】
（数式１）
ＩＦ（ｉ＋１）＝ＩＦｉ−０.２５ＭＨｚ
【００７０】
数式１において、「ｉ」値が「０」なので、１次可変ＩＦ周波数ＩＦ１は、基本ＩＦ周波数ＩＦ０から０.２５ＭＨｚを差し引いた値に算出される。前記０.２５ＭＨｚ値は、４４ＭＨｚの基本ＩＦ周波数を主として使用する韓国の場合における実験に基づいて決定された値である。したがって、基本ＩＦ周波数の移動範囲は、前記値０.２５ＭＨｚに限定されるものではない。つまり、各国又は各装置で使用される基本ＩＦ周波数の範囲に基づいて、前記移動範囲の設定を変えることが可能である。
【００７１】
上記のように、１次可変ＩＦ周波数ＩＦ１を算出した後、復調ＩＣ１２０は、変数「ｉ」を「１」増加させ（ステップＳ１５０）、該１次可変ＩＦ周波数ＩＦ１を用いてＡ／Ｖ信号を検出する処理（ステップＳ１１５）及び該Ａ／Ｖ信号のＢＥＲ（ＢＥＲ１）を検出する処理（ステップＳ１２０）を行う。そして、ステップＳ１２５において、復調ＩＣ１２０は、１次可変ＩＦ周波数ＩＦ１が隣接チャネルの影響を受けるか否かを判断する。例えば、前述の基本ＩＦ周波数の例で説明した通り、１次可変ＩＦ周波数ＩＦ１によるＡ／Ｖ信号のＢＥＲ（ＢＥＲ１）が「０」であるか否かを判断する。そして、１次可変ＩＦ周波数ＩＦ１によるＡ／Ｖ信号のＢＥＲ（ＢＥＲ１）が「０」と判断した場合には、復調ＩＣ１２０は、１次可変ＩＦ周波数ＩＦ１が隣接チャネルの影響を受けないものと判断し、１次可変ＩＦ周波数ＩＦ１を用いてＮチャネルをチューニングする（ステップＳ１７０）。
【００７２】
一方、前記ステップＳ１２５において、ＢＥＲ１値が「０」でないと判断した場合、復調ＩＣ１２０は、１次可変ＩＦ周波数ＩＦ１とそのときのＢＥＲ（ＢＥＲ１）を格納する（ステップＳ１３０）。これは、Ａ／Ｖ信号を検出する周波数が基本ＩＦ周波数ＩＦ０であるときと同様に、ＢＥＲ値が最小となるＩＦ周波数を容易に選択するためである。
【００７３】
前記１次可変ＩＦ周波数ＩＦ１とそのときのＢＥＲ（ＢＥＲ１）を格納した後、復調ＩＣ１２０は、変数「ｉ」値が「２」以上であるか否かを判断する（ステップＳ１３５）。この際、「ｉ」は、前述のステップＳ１５０にて「１」増加しているため、「１」の値を有している。したがって、ステップＳ１３５において「ｉ」値が「２」以上であるか否かを判断すると、現在の「ｉ」値は「１」なので、復調ＩＣ１２０は、「ｉ」値が「ｏｄｄ（奇数）」であるか否かを判断するステップＳ１４０の処理を行う。
【００７４】
前記ステップＳ１４０において、現在の「ｉ」値は「１」なので、「ｏｄｄ（奇数）」と判断される。したがって、復調ＩＣ１２０は、基本ＩＦ周波数ＩＦ０を右側に移動させるステップＳ１５５を行う。図４の例では、前記ステップＳ１４５を通じて「ＩＦｉ」に１次可変ＩＦ周波数ＩＦ１が格納されている。したがって、ステップＳ１５５において、右側に移動させるためには１次可変ＩＦ周波数ＩＦ１を基本ＩＦ周波数ＩＦ０の位置に移動させ、さらに左側移動値と同じ値で右側に移動する。即ち、図４では、ステップＳ１４５において、基本ＩＦ周波数ＩＦ０が左側に０.２５ＭＨｚ移動される例を示している。したがって、ステップＳ１５５においては、復調ＩＣ１２０は、１次可変周波数ＩＦ１を右側に０.２５ＭＨｚずつ２回移動させなければならない。すなわちステップＳ１５５では、以下に示す数式２のように、１次可変周波数ＩＦ１を右側に０.５０ＭＨｚ（０．２５ＭＨｚ＋０．２５ＭＨｚ）だけ移動させることによって、２次可変ＩＦ周波数ＩＦ２を算出する。
【００７５】
（数式２）
ＩＦ（ｉ＋１）＝ＩＦｉ＋０.５０ＭＨｚ
【００７６】
数式２において、この例では現在の「ｉ」値が「１」なので、２次可変ＩＦ周波数ＩＦ２は、１次可変ＩＦ周波数ＩＦ１に０.５０ＭＨｚを加えた値に算出される。前記０.５０ＭＨｚ値は、左側移動値（０．２５ＭＨｚ）の２倍であって、左側移動値が変更される場合には、その変更に伴ってこの右側移動量も変更される。
【００７７】
上記のように、２次可変ＩＦ周波数ＩＦ２を算出した後、復調ＩＣ１２０は、変数「ｉ」を「１」増加させ（ステップＳ１５０）、該２次可変ＩＦ周波数ＩＦ２を用いてＡ／Ｖ信号を検出する処理（ステップＳ１１５）及び該Ａ／Ｖ信号のＢＥＲ（ＢＥＲ２）を検出する処理（ステップＳ１２０）を行う。そして、ステップＳ１２５において、復調ＩＣ１２０は、２次可変ＩＦ周波数が隣接チャネルの影響を受けるか否かを判断する。例えば、前述の基本ＩＦ周波数及び１次可変ＩＦ周波数の場合で説明した通り、復調ＩＣ１２０は、２次可変ＩＦ周波数によるＡ／Ｖ信号のＢＥＲ（ＢＥＲ２）が「０」であるか否かを判断する。そして、２次可変ＩＦ周波数によるＡ／Ｖ信号のＢＥＲ（ＢＥＲ）が「０」と判断した場合には、復調ＩＣ１２０は、２次可変ＩＦ周波数ＩＦ２が隣接チャネルの影響を受けないものと判断し、２次可変ＩＦ周波数ＩＦ２を用いてＮチャネルをチューニングする（ステップＳ１７０）。
【００７８】
一方、前記ステップＳ１２５において、ＢＥＲ２値が「０」でないと判断した場合、復調ＩＣ１２０は、２次可変ＩＦ周波数ＩＦ２とそのときのＢＥＲ（ＢＥＲ２）を格納する（ステップＳ１３０）。これは、Ａ／Ｖ信号を検出する周波数が基本ＩＦ周波数ＩＦ０であるとき及び１次基本ＩＦ周波数ＩＦ１であるときと同様に、ＢＥＲ値が最小となるＩＦ周波数を容易に選択するためである。
【００７９】
前記２次可変ＩＦ周波数ＩＦ２とそのときのＢＥＲ（ＢＥＲ２）を格納した後、復調ＩＣ１２０は、変数「ｉ」値が「２」以上であるか否かを判断する（ステップＳ１３５）。この際、「ｉ」は、ステップＳ１５０の２回目を行ったことによって「１」増加し、「２」の値を有している。したがって、前記ステップＳ１３５において、「ｉ」値が「２」以上であるか否かを判断すると、現在の「ｉ」値は「２」なので、復調ＩＣ １２０は、ステップＳ１６０を行う。すなわち、ステップＳ１３０を３回繰り返したことによる各可変ＩＦ周波数（基本ＩＦ周波数ＩＦ０のとき、１次可変ＩＦ周波数ＩＦ１のとき、２次可変ＩＦ周波数ＩＦ２のとき）に対応付けて格納されたＢＥＲ値（ＢＥＲ０、ＢＥＲ１、ＢＥＲ２）の中から最小値のＢＥＲを選択し、このＢＥＲに対応するＩＦ周波数を選択する。例えば、前記ＢＥＲ値のうちＢＥＲ１が最小であるなら、１次可変ＩＦ周波数ＩＦ１をチューニングＩＦ周波数として選択する。そして、前記選択されたＩＦ周波数ＩＦ１を用いてＮチャネルをチューニングする。
【００８０】
図４の例では、基本ＩＦ周波数ＩＦ０によるＡ／Ｖ信号のＢＥＲ（ＢＥＲ０）が「０」でない場合に、基本ＩＦ周波数ＩＦ０を左側にまず移動させる例について説明した。しかしながら、本発明は、基本ＩＦ周波数ＩＦ０を左側にまず移動させる構成に限定されることはない。言い換えると、本発明は、基本ＩＦ周波数ＩＦ０を左及び／又は右に移動させながら、隣接するＲＦ信号の影響が最少となるＩＦ周波数を検出するための装置及び方法に関し、基本ＩＦ周波数ＩＦ０を左／右のいずれの方向にどれだけ移動させるかに限定されるものではない。
【００８１】
さらに、図４の例では、基本ＩＦ周波数の可変回数をカウントし、基本ＩＦ周波数及び可変ＩＦ周波数を区別するために、基本ＩＦ周波数を１回可変する毎に、初期値が「０」である変数「ｉ」の値を「１」ずつ増加させる方法を使用した。しかしながら、本発明は、前記変数「ｉ」を利用する方法により限定されるものではない。
【００８２】
図５ａ及び図５ｂは、本発明の一実施形態に従いデジタルチャネルの中間周波数を左／右に移動させた波形図である。
【００８３】
図５ａ及び図５ｂは、アナログ放送信号である「Ｎ−１チャネル」とデジタル放送信号である「Ｎチャネル」とが隣接した場合を示す図である。特に、図５ａは、ビデオ信号Ａ１、第１のオーディオ信号Ａ２及び第２のオーディオ信号Ａ３を含む「Ｎ−１チャネル」のアナログ放送信号のうち、第２のオーディオ信号Ａ３が「Ｎチャネル」のデジタル放送信号Ｄの左側に隣接した場合において、本実施形態に従いＮチャネルのＩＦ周波数を右側に０.２５ＭＨｚ移動させた例を示している。また、図５ｂは、「Ｎチャネル」のデジタル放送信号Ｄの右側に隣接したアナログ放送信号のビデオ信号Ａ１が「Ｎチャネル」のデジタル放送信号Ｄに影響を及ぼす場合において、本実施形態に従いＮチャネルのＩＦ周波数を左側に０.２５ＭＨｚ移動させた例を示している。
【００８４】
以上において説明した本発明は、本発明が属する技術の分野における通常の知識を有する者であれば、本発明の技術的思想を逸脱しない範囲内で、様々な置換、変形及び変更が可能であるので、上述した実施形態例及び添付図面に限定されるものではない。
【図面の簡単な説明】
【００８５】
【図１】一般的なデジタルチューナーの構成を概略的に示す図である。
【図２】相互に隣接したアナログチャネルとデジタルチャネルを示す波形図である。
【図３】本発明の一実施形態に係るチューニング装置を示す概略的なブロック図である。
【図４】本発明の一実施形態に係るチューニング方法を示す処理流れ図である。
【図５Ａ】本発明の一実施形態によりデジタルチャネルの中間周波数を左／右に移動させた状態を示す波形図である。
【図５Ｂ】本発明の一実施形態によりデジタルチャネルの中間周波数を左／右に移動させた状態を示す波形図である。
【符号の説明】
【００８６】
１００  チューニング装置
１１０  チューナー
１２０  復調ＩＣ
１３０  出力部
１４０  ユーザＩ／Ｆ
１５０  制御部
１６０  フラッシュメモリ
【図１】
2006148890.tif 000003
【図２】
2006148890.tif 000004
【図３】
2006148890.tif 000005
【図４】
2006148890.tif 000006
【図５Ａ】
2006148890.tif 000007
【図５Ｂ】
2006148890.tif 000008